(57)【要約】【課題】  商品陳列棚や展示ブースを組み立てる際に使用されるジョイントにおいて、支柱と棚受けブラケット若しくは梁とを連結するために用いられるものに関する。【解決手段】  一つまたは複数の係止孔を有する一方部材に他方部材を連結するためのジョイントにおいて、上記他方部材に設けられ、この他方部材に設けられたジョイント本体と、このジョイント本体に設けられて互いに対向して対となるアームと、この各アームの先端部にそれぞれ外方側に突出して設けられた爪と、上記各アームの間に設けられた可動片とからなり、各アームの先端部を一方部材の正面側から上記係止孔に挿通した状態で、上記可動片で各アームの先端を離間させて、上記爪を一方部材の背面に係合させることにより、一方部材と他方部材とを連結する。【選択図】  図１
2010196864.tif 000002
【特許請求の範囲】
【請求項１】
一つまたは複数の係止孔を有する一方部材に他方部材を連結するためのジョイントにおいて、上記他方部材に設けられ、この他方部材に設けられたジョイント本体と、このジョイント本体に設けられて互いに対向して対となるアームと、この各アームの先端部にそれぞれ外方側に突出して設けられた爪と、上記各アームの間に設けられた可動片とからなり、各アームの先端部を一方部材の正面側から上記係止孔に挿通した状態で、上記可動片で各アームの先端を離間させて、上記爪を一方部材の背面に係合させることにより、一方部材と他方部材とを連結することを特徴とするジョイント。
【請求項２】
ジョイント本体が他方部材側に移動自在に設けられ、上記ジョイント本体を一方部材側に向けて前進させると、対となるアームの先端部が一方部材に設けた係止孔に挿通されることを特徴とする請求項１に記載のジョイント。
【請求項３】
爪が一方部材の背面側に突出した状態若しくは突出しながらアームの先端を可動片で離間させると共に、次いでアームを離間させた状態でジョイント本体を後退させることにより、上記爪を一方部材の背面に当接させることを特徴とする請求項１または２に記載のジョイント。
【請求項４】
アームの動きをロックするロック機構を有することを特徴とする請求項１から３のいずれかに記載のジョイント。
【請求項５】
対となるアームは、この各アームの内側に突出させた係止部をそれぞれ有し、上記各係止部は可動片に対向する傾斜面と、各係止部同士が対向する水平面とを有し、上記可動片は先端に上記係止部の傾斜面と対向するテーパ部と、このテーパ部に連設されて棒または板状部材からなる本体とからなり、上記可動片を各アームの先端側に向けて前進させることにより、各アームの先端を離間させることを特徴とする請求項１から４のいずれかに記載のジョイント。
【請求項６】
他方部材にカムを設け、このカムを回転させることにより、上記可動片を前進させることを特徴とする請求項５に記載のジョイント。
【請求項７】
他方部材に、ジョイント本体を駆動する第一のカムと、可動片を駆動する第二のカムとを設け、第一のカムと第二のカムとが連動することを特徴とする請求項５に記載のジョイント。
【請求項８】
可動片を前進させると、各アームが離間して附勢力を発生し、上記可動片は常にテーパ部を係止部の傾斜面へ当接させて、上記附勢力によって後退する方向に押圧されることを特徴とする請求項５から７のいずれかに記載のジョイント。
【請求項９】
可動片を前進させると各アームが離間して附勢力を発生し、可動片は本体側面を各アームの水平面に対向させて、上記附勢力により各アームに挟持され、当該各アームに保持されロック状態となることを特徴とする請求項５から７のいずれかに記載のジョイント。
【発明の詳細な説明】
【技術分野】
【０００１】
本発明は、商品陳列棚や展示ブースを組み立てる際に使用されるジョイントにおいて、支柱と棚受けブラケットまたは梁とを連結するために用いられるものに関する。
【背景技術】
【０００２】
従来の商品陳列棚においては、図６に示すように、支柱２の正面に設けられた係止孔１６に、棚受けブラケット３の後端に設けたジョイント１５を係止させることにより、左右一対の棚受けブラケット３が各支柱２の正面より手前方向に向けて突設されており、これに棚板１７を架設することにより構成されている（特許文献１）。
【０００３】
従来のジョイント１５は、ジョイント本体１５ａと、このジョイント本体１５ａの後方に複数の係止爪１５ｂが直列に突設されてなり、各係止爪１５ｂがそれぞれ係止孔１６に挿通すると共に支柱２の背面に引っ掛かり、ジョイント本体１５ａの下端部が支柱２の正面に当接し、ジョイント本体１５ａの下端部を支点として棚受けブラケット３を図中反時計回りに回転させるモーメントに抗して、支柱２と棚受けブラケット３とを連結している。
【先行技術文献】
【特許文献】
【０００４】
【特許文献１】特開２００８−２０６７７０号  公報
【発明の概要】
【発明が解決しようとする課題】
【０００５】
しかしながら、上記従来のジョイント１５は次のような不具合があり、改善を求められている。即ち、上記従来のジョイント１５は上記モーメントに対しては連結を維持できるので、上方から力が加わった場合もジョイント１５の連結状態を維持することができるが、下方から力が加わった場合には、係止爪１５ｂが係止孔１６から外れ、棚受けブラケット３及び棚板１７が落下する虞があった。
【０００６】
このように、従来のジョイント１５は、落下の危険があるので高所での利用に適さず、当然展示ブースを構成するための支柱と梁との連結への利用にも使用することができない。
【０００７】
そこで、本発明の目的は、容易に棚受けブラケットと支柱とを連結することができ、何れの方向から力が加わったとしても、確実にジョイントの連結状態を維持することができ、高所での利用や、展示ブースを構成するための支柱と梁との連結にも使用することが可能なジョイントを提供することである。
【課題を解決するための手段】
【０００８】
上記課題を解決するための手段は、一つまたは複数の係止孔を有する一方部材に他方部材を連結するためのジョイントにおいて、上記他方部材に設けられ、この他方部材に設けられたジョイント本体と、このジョイント本体に設けられて互いに対向して対となるアームと、この各アームの先端部にそれぞれ外方側に突出して設けられた爪と、上記各アームの間に設けられた可動片とからなり、各アームの先端部を一方部材の正面側から上記係止孔に挿通した状態で、上記可動片で各アームの先端を離間させて、上記爪を一方部材の背面に係合させることにより、一方部材と他方部材とを連結することである。
【０００９】
この場合において、ジョイント本体が他方部材側に移動自在に設けられ、上記ジョイント本体を一方部材側に向けて前進させると、対となるアームの先端部が一方部材に設けた係止孔に挿通されることが好ましい。
【００１０】
同じく、爪が一方部材の背面側に突出した状態若しくは突出しながらアームの先端を可動片で離間させると共に、次いでアームを離間させた状態でジョイント本体を後退させることにより、上記爪を一方部材の背面に当接させることが好ましい。
【００１１】
同じく、アームの動きをロックするロック機構を有することが好ましい。
【００１２】
同じく、対となるアームは、この各アームの内側に突出させた係止部をそれぞれ有し、上記各係止部は可動片に対向する傾斜面と、各係止部同士が対向する水平面とを有し、上記可動片は先端に上記係止部の傾斜面と対向するテーパ部と、このテーパ部に連設されて棒または板状部材からなる本体とからなり、上記可動片を各アームの先端側に向けて前進させることにより、各アームの先端を離間させることが好ましい。
【００１３】
この場合において、他方部材にカムを設け、このカムを回転させることにより、上記可動片を前進させることが好ましい。
【００１４】
同じく、他方部材に、ジョイント本体を駆動する第一のカムと、可動片を駆動する第二のカムとを設け、第一のカムと第二のカムとが連動するとしてもよい。
【００１５】
また、可動片を前進させると、各アームが離間して附勢力を発生し、上記可動片は常にテーパ部を係止部の傾斜面へ当接させて、上記附勢力によって後退する方向に押圧されることが好ましい。
【００１６】
同じく、可動片を前進させると各アームが離間して附勢力を発生し、可動片は本体側面を各アームの水平面に対向させて、上記附勢力により各アームに挟持され、当該各アームに保持されロック状態となることとしても良い。
【発明の効果】
【００１７】
請求項１に記載した発明によれば、各アームの先端に設けた爪を一方部材の背面に係合させることにより、何れの方向から力が負荷されても一方部材と他方部材との連結を確実に維持することが可能となる。これにより、本発明のジョイントは、高所での連結や、展示ブースを構成するための支柱と梁との連結にも適している。
【００１８】
また、請求項２に記載した発明によれば、一方部材と他方部材とを連結するときに、ジョイント本体を一方部材側に前進させることから、一方部材と他方部材とを連結しないときには、各アームを他方部材に収納することができる。
【００１９】
また、請求項３に記載した発明によれば、アームを離間させた状態でジョイント本体を後退させ、爪がしっかりと一方部材の背面に密着するので、他方部材が一方部材に対してガタつくことがない。
【００２０】
また、請求項４に記載した発明によれば、アームの動きをロックするロック機構を有することにより、一方部材若しくは他方部材に衝撃が加わることで、各アームの先端が接近して爪が他方部材の係止孔から外れることを防ぎ、一方部材と他方部材とをより確実に連結することが可能となる。
【００２１】
また、請求項５に記載した発明によれば、可動片を各アームの先端側に向けて前進させる際に、各アームの先端を離間させることが容易に可能となる。
【００２２】
また、請求項６に記載した発明によれば、可動片の移動をカムによって行うことにより、構造を複雑化させることなく、可動片を容易に前進させることが可能となる。
【００２３】
また、請求項７に記載した発明によれば、ジョイント本体を駆動する第一のカムと、可動片を駆動する第二のカムとを設け、第一のカムと第二のカムとが連動することにより、一つのカム駆動軸の駆動によってジョイント本体及び可動片を連動させて動かすことが可能であり、構造を複雑化させることがない。
【００２４】
また、請求項８に記載した発明によれば、可動片が前進し、各アームが離間されることによって発生した附勢力により、後退する方向に常に押圧されていることから、速やかに後退して各アームの先端部を近接させ、ジョイントによる連結を解除することが容易である。
【００２５】
また、請求項９に記載した発明によれば、可動片が前進し、各アームが離間されることによって発生した附勢力により、各アームに保持されることから、各アームの動きを容易にロックすることが可能となる。
【図面の簡単な説明】
【００２６】
【図１】本発明の第一の実施の形態を示すジョイントの連結状態を示す側面図である。
【図２】本発明の第一の実施の形態を示すジョイントの連結を解除した状態を示す側面図である。
【図３】他方部材に第一の本発明の実施の形態を示すジョイントを設けた状態を示す部分斜視図である。
【図４】本発明の第二の実施の形態を示すジョイントの連結状態を示す側面図である。
【図５】本発明の第三の実施の形態を示すジョイントの連結状態を示す側面図である。
【図６】従来のジョイントの連結状態を示す側面図である。
【発明を実施するための形態】
【００２７】
以下、本発明の実施の形態のジョイントについて、図面を参照して詳細に説明する。いくつかの図面を通して付された同じ数字は、同じ部品か又はそれに対応する部品を示す。
【００２８】
図１乃至図３に示すように、本発明の第一の実施の形態を示すジョイント１は、一つまたは複数の係止孔４を有する一方部材に他方部材を連結するために利用され、例えば、商品陳列棚を構成する支柱２と棚受けブラケット３とを連結するために利用される。
【００２９】
一方部材たる支柱２は、正面の長手方向に沿って直列に等間隔で穿設された複数の係止孔４を有し、他方部材たる棚受けブラケット３は、端部に上記支柱２の正面に対向して開口する中空部３ａを有し、この中空部３ａに上記ジョイント１を有してなる。
【００３０】
そして、上記ジョイント１は、ジョイント本体５と、このジョイント本体５の一端から伸びて互いに対向する一対のアーム６、６と、この各アーム６、６の先端部の外方側にそれぞれ突出して設けられた爪７、７と、上記各アーム６、６の間に挿入された可動片８とからなる。
【００３１】
上記可動片８は、各アーム６、６間をこの各アーム６、６の先端側に向けて前進及び後退可能であって、前進すると各アーム６、６の内側面を押圧して、各アーム６、６の先端部を離間させる。
【００３２】
更に、可動片８によって各アーム６、６の先端部が離間されない状態、つまり各アーム６、６の先端部が接近した状態で、各アーム６、６の先端部を支柱２の正面側から上記係止孔４に挿通し、次いで、上記可動片８を前進させて各アーム６、６の先端を離間させて、上記爪７、７を支柱２の背面に係合させることにより、支柱２と棚受けブラケット３とを連結する。この連結した状態を図１に示す。
【００３３】
上記構成を備えることにより、本発明のジョイント１においては、支柱２と棚受けブラケット３とを確実に連結することが可能となる。つまり、本発明のジョイント１は、何れの方向から力が加わったとしても上記爪７、７が係止孔４から外れず、ジョイント１の連結状態を維持することができるため、高所での使用や、展示ブースを構成するための支柱と梁との連結にも適している。
【００３４】
以下、ジョイント１の各部について詳細に説明する。ジョイント本体５は、中央に縦長楕円形状の長孔５ａが穿設された略半円の平板部材であり、その半円の弧側を奥にして棚受けブラケット３の中空部３ａに立てて収装されると共に、上記長孔５ａに第一のカム９を係合してなり、この第一のカム９の回転に従動して支柱２の正面に向けて前進又は後退する。
【００３５】
これにより、支柱２と棚受けブラケット３とを連結しないときには、各アーム６、６を棚受けブラケット３に収納することができる。尚、ジョイント本体５の形状は半円状でなくとも良いが、半円状とすることで、ブラケット３の中空部３ａ内への挿入が円滑となる利点がある。
【００３６】
更に、上記ジョイント本体５の上下端部からは、中空部３ａの開口に向けてアーム６がそれぞれ延びて対向し、対をなしている。各アーム６、６は、その内側に突出させた係止部１１、１１をそれぞれ有しており、当該各係止部１１、１１は可動片８に対向する傾斜面１１ａと、水平面１１ｂとを備えており、当該水平面１１ｂは互いに相手方の係止部１１の水平面１１ｂに対向している。そして、上記各アーム６、６は、可動片８が各アーム６、６の先端側に向けて前進すると離間されて附勢力を発生する。
【００３７】
次に、上記可動片８は先端に上記係止部１１の傾斜面１１ａと対向するテーパ部８ａと、このテーパ部８ａに連設された板状部材からなる本体８ｂとからなる。この本体８ｂは図３に示すように、板状部材を折り曲げて、横方向の段違い形状になるよう形成されており、上記テーパ部８ａに連接された低段部たる前部１３と、この前部１３に連設された高段部たる後部１４とからなる。但し、上記本体８ｂは必ずしも板状部材でなくとも良く、棒状としても良い。このように可動片８は段違い形状とされているので、後部１４がジョイント本体５に干渉することなく、後述の第二のカム１０によって駆動することができる。
【００３８】
次に、ジョイント本体５を駆動する第一のカム９と、可動片８を駆動する第二のカム１０は、一つの駆動ピン１２によって軸支され、当該駆動ピン１２を回転することにより、これらが同時に回転する。これにより、第一、第二のカム９、１０を回転させる構造及び操作が簡単であるが、ジョイント本体５や可動片８の駆動をこれ以外の方法によって行うとしても良いことはもちろんである。
【００３９】
上記駆動ピン１２は中央に六角溝１２ａを有してなり、当該六角溝１２ａに六角レンチなどを差し込み回転することによって、当該駆動ピン１２を回転することが可能である。
【００４０】
上記第一、第二のカム９、１０は外周形状の異なる円板カムであり、第一のカム９は円形、第二のカム１０は略半円状に形成され、ジョイント本体５の長孔５ａ内に設けられた第一のカム９に第二のカム１０が重ねて設けられている。これにより、第一、第二のカム９、１０の従節であるジョイント本体５や可動片８の動作をそれぞれ任意に設定し、駆動ピン１２を回転したときに、ジョイント本体５や可動片８のそれぞれが前進及び後退するタイミングをずらし、ジョイント本体５と可動片８とを絶対移動及び相対移動させることが容易に可能である。
【００４１】
つまり、第一、第二のカム９、１０に従動するジョイント本体５及び可動片８が共に前進又は後退した場合には、相対移動量が少ない若しくは相対移動しないため、各アーム６、６の先端部は可動片８により接近若しくは離間された状態を保つ。また、ジョイント本体５が前進し可動片８が後退した場合には、相対移動量が大きく、各アーム６、６間を可動片８が後退すると共に各アーム６、６の附勢力により各アーム６、６の先端部が接近する。また、ジョイント本体５が後退し、可動片８が前進した場合にも相対移動量が大きく、この場合においては各アーム６、６間を可動片８が前進して各アーム６、６の先端部を離間させ、各アーム６、６に附勢力を発生させる。
【００４２】
上記第一のカム９は、円形の板状部材の中心より外方にずれた位置を上記駆動ピン１２で軸支されてなり、当該第一のカム９の外周をジョイント本体５の長孔５ａ側面に当接させている。これにより、駆動ピン１２の回転に伴い、第一のカム９が長孔５ａ内で回転し、ジョイント本体５を支柱２の正面に向けて前進及び後退させることが可能である。
【００４３】
上記第二のカム１０は、略半円状の板状部材の一端側を上記第一のカム９と同様に駆動ピン１２で軸支されてなり、第二のカム１０の他端側外周端は当該第二のカム１０の半円部の曲率よりも小さな曲率を持って湾曲し、当該第二のカム１０の外周を可動片８の後端に当接させている。本実施の形態におけるジョイント１は後述するように、駆動ピン１２を１８０度回転することにより連結状態となり、この状態から駆動ピン１２を逆方向に１８０度回転し、駆動ピン１２を元の位置に戻すことによって連結状態を解除する。そのため、第二のカム１０が上記形状を有することにより、常に第二のカム１０の湾曲面を可動片８の後端部に当接させることができ、可動片８の移動を円滑に行うことが可能となる。
【００４４】
そして、上記可動片８の先端部は各アーム６、６の係止部１１に当接していることから、可動片８は各アーム６、６の係止部１１と第二のカム１０とで挟持されながら、第二のカム１０の回転に従動して支柱２の正面に向けて前進及び後退することが可能である。
【００４５】
このとき、可動片８を円滑に直進させるため、棚受けブラケット３の中空部３ａにガイド溝を設け、このガイド溝に可動片８の後部１４をスライド自在に設けるとしても良い。
【００４６】
尚、上記可動片８は各アーム６、６の係止部１１と第二のカム１０とで挟持されることにより、構造を複雑にすることなく前進及び後退することが可能であるが、これ以外の構造としても良く、例えば第二のカム１０と可動片８とを繋ぐリンク等を設けて、第二のカム１０に可動片８を従動させるとしても良い。
【００４７】
本実施の形態においては、上述の通り上記可動片８のテーパ部８ａ及び前部１３が各アーム６、６間に配在され、同後部１４がジョイント本体５と重なり合うことができるため、可動片８とジョイント本体５との干渉を避けて、一つの駆動ピン１２で駆動される第一のカム９と第二のカム１０を駆動する構成を採用しながら、可動片８が各アーム６、６間を移動することができる。
【００４８】
また、第一、第二のカム９、１０にこれら第一、第二のカム９、１０の従節であるジョイント本体５及び可動片８を組み付けたときにかさばらないことから、ジョイント１をコンパクトに形成することができ、棚受けブラケット３の中空部３ａ内に容易に収装することが可能である。
【００４９】
更には、可動片８を各アーム６、６の先端側に向けて前進させると、傾斜面１１ａとテーパ部８ａとが摺接し、各アーム６、６の先端を離間させながら可動片８を容易に前進させることが可能である。また、各アーム６、６の附勢力により各アーム６、６の先端部が接近するときにも、傾斜面１１ａとテーパ部８ａとが摺接することから、係止部１１で可動片８を後方に押圧することができる。
【００５０】
上記第一、第二のカム９、１０は、駆動ピン１２から第一、第二のカム９、１０の外周までの距離をそれぞれの径とすると、第一のカム９の最長となる径に対して、第二のカム１０の最長となる径を駆動ピン１２を基点に９０度の角度をもって配在させてなる。尚、当該第一、第二のカム９、１０の重なる角度は９０度以外としてももちろん良く、適宜選択することが可能である。
【００５１】
次に、本実施の形態におけるジョイント１の動作を詳細に説明する。まず、支柱２と棚受けブラケット３とを連結する際には、支柱２に棚受けブラケット３のジョイント１を有する端部を対向させ、支柱２の係止孔４とジョイント１の爪７、７とを対向させる。
【００５２】
このとき、図２に示すように、円形の第一のカム９の最長となる径が駆動ピン１２の下方に配在され、略半円状に形成された第二のカム１０は、その円弧面を下側にして、その最長となる径が駆動ビン１２の後方に配在されてなる。このとき、各アーム６、６は棚受けブラケット３に収装されると共に、その先端部は接近しており、その内側にそれぞれ設けた係止部１１の傾斜面１１ａに可動片８のテーパ部８ａを当接させてなる。この状態から駆動ピン１２を時計回りに回転させた角度を駆動角度とし、この状態を駆動角度０度とする。
【００５３】
次に、六角溝１２ａに六角レンチなどを差し込み、駆動ピン１２を図中時計回りに９０度まで回転させて、駆動角度を９０度とする。これにより、第一のカム９の最長となる径が駆動ピン１２の前方に配在され、ジョイント本体５が前進すると共に、第二のカム１０の最長となる径が駆動ピン１２の下方に配在され、可動片８もまた前進する。このとき、ジョイント本体５と可動片８とが共に前進するため、各アーム６、６の先端部は接近した状態を保ちながら、支柱２に設けた係止孔４に挿通され、支柱２の背面側に各アーム６、６の爪７、７が突出する。つまり、爪７、７が支柱２の背面側に配在された状態となる。
【００５４】
更に駆動ピン１２を時計回りに９０度回転し、駆動角度を１８０度とする。すると、第一のカム９の最長となる径が駆動ピン１２の上方に配在され、ジョイント本体５が後退すると共に、第二のカム１０の最長となる径が駆動ピン１２の前方に配在され、可動片８が前進する。これにより、可動片８が各アーム６、６の先端側に向けて前進し、各アーム６、６の先端部が離間されて各アーム６、６に附勢力を発生させる。
【００５５】
つまり、図１に示すように、爪７、７が支柱２の背面側に配在された状態でジョイント本体５が後退し、各アーム６、６の先端が可動片８によって離間されることから、爪７、７が支柱２の背面側に引っ掛かり、駆動ピン１２をそれ以上時計回りに回転することができなくなると共に、爪７、７を支柱２の背面側に密着させることができてガタツキの発生が阻止される。
【００５６】
この状態においては、各アーム６、６の先端が可動片８によって離間して各アーム６、６に附勢力を発生し、上記可動片８は常にテーパ部８ａを係止部１１の傾斜面１１ａへ当接させて、上記附勢力によって後退する方向に押圧される。このとき、第二のカム１０と可動片８とが当接する点を作用点とすると、上記可動片８が各アーム６、６によって押圧され、上記作用点に加わる力の方向と、この可動片８を駆動する第二のカム１０の回転中心と上記作用点とを結んだ線とが同一線上にあるとき、可動片８が各アーム６、６によって押圧される力と、第二のカム１０によって支えられる力とが均衡して、第二のカム１０及び可動片８が動かなくなり、ジョイント１の連結状態を維持することが可能である。
【００５７】
このとき、支柱２や棚受けブラケット３に衝撃が加わることにより、可動片８が各アーム６、６によって押圧される力と、第二のカム１０によって支えられる力の均衡が崩れて可動片８が後退し、ジョイント１の連結状態が解除されてしまうことを防ぐため、アーム６、６の動きをロックするロック機構を有することが好ましい。
【００５８】
このロック機構は適宜選択することができ、可動片８、第一、第二のカム９、１０または駆動ピン１２の動きを阻止することにより、アーム６、６の動きをロックをすることが可能である。例えば、棚受けブラケット３に設けた駆動ピン１２の近傍に溝を設け、この溝と六角溝１２ａとを硬質部材で連結することにより駆動ピン１２の回転をロックし、当該硬質部材を取り除くことでロックを解除することができる。
【００５９】
また、第二のカム１０に水平面を形成し、上記駆動ピン１２を１８０度回転させたときに、可動片８の後端部と第二のカム１０の上記水平面とを対向させて面接触させることによってもロックすることが可能である。
【００６０】
次に、ジョイント１の連結状態の解除は、駆動ピン１２を反時計回りに回転することによって、上記連結の際の動作と逆の動作をとり、容易に行うことができる。
【００６１】
つまり、まず六角溝１２ａに六角レンチなどを差し込み、駆動ピン１２を図中反時計回りに９０度回転させて、駆動角度を９０度まで戻す。すると、第一のカム９の最長となる径が駆動ピン１２の前方に配在され、ジョイント本体５が前進すると共に、第二のカム１０の最長となる径が駆動ピン１２の下方に配在され、各アーム６、６の先端部が各アーム６、６の持つ附勢力によって接近すると共に傾斜面１１ａで可動片８を後方に押圧し、可動片８が各アーム６、６の係止部１１と第二のカム１０とで挟持されながら各アーム６、６間を後退する。これにより、各アーム６、６の先端部が接近した状態で支柱２の背面側に突出し、支柱２の背面側に引っ掛かっていた爪７、７が外れる。
【００６２】
更に駆動ピン１２を反時計回りに９０度回転させて、駆動角度を０度まで戻すと、第一のカム９の最長となる径が駆動ピン１２の下方に配在され、第二のカム１０の最長となる径が駆動ピン１２の後方に配在されることから、ジョイント本体５及び可動片８が共に後退し、各アーム６、６の先端部が接近した状態で係止孔４から抜け、ジョイント１の連結状態が解除される。
【００６３】
次に、本発明の第二の実施の形態について説明する。当該第二の実施の形態においは、ジョイント１の動作が異なるのみで、その他の構成及び効果については第一の実施の形態と重複するため説明を省略する。
【００６４】
以下に本実施の形態におけるジョイント１の動作を詳細に説明する。
【００６５】
まず、支柱２と棚受けブラケット３とを連結する際には、第一の実施の形態と同様に、支柱２に棚受けブラケット３のジョイント１を有する端部を対向させ、支柱２の係止孔４とジョイント１の爪７、７を対向させる。但し、第二の実施の形態においては一つの係止孔４に一つの爪７が挿通することとする。駆動角度が０度のときのジョイント１の状態は、第一の実施の形態と同様である。
【００６６】
次に、六角溝１２ａに六角レンチなどを差し込み、駆動ピン１２を図中時計回りに９０度まで回転させて、駆動角度を９０度とする。これにより、第一のカム９の最長となる径が駆動ピン１２の前方に配在され、ジョイント本体５が前進すると共に、第二のカムの最長となる径が駆動ピン１２の下方に配在され、可動片８もまた前進する。このとき、ジョイント本体５と可動片８とが共に前進するため、各アーム６、６の先端部は接近した状態を保ちながら、支柱２に設けた係止孔４に挿通され、支柱２の背面側に各アーム６、６の爪７、７が突出する。つまり、爪７、７が支柱２の背面側に配在された状態となる。
【００６７】
更に駆動ピン１２を時計回りに９０度回転し、駆動角度を１８０度とする。すると、第一のカム９の最長となる径が駆動ピン１２の上方に配在され、ジョイント本体５が後退すると共に、第二のカム１０の最長となる径が駆動ピン１２の前方に配在され、可動片８が前進する。
【００６８】
これにより、上記可動片８は各アーム６、６の先端側に向けて前進し、各アーム６、６の先端部を離間して各アーム６、６に附勢力を発生させ、本体８ａ側面を各アーム６、６の水平面１１ｂに対向させて、上記附勢力により各アーム６、６に挟持されて保持されることからロック状態となる。
【００６９】
つまり、図４に示すように、爪７、７が支柱２の背面側に配在された状態でジョイント本体５が後退し、各アーム６、６の先端が可動片８によって離間されることから、爪７、７が支柱２の背面側に引っ掛かり、駆動ピン１２をそれ以上時計回りに回転することができなくなると共に、爪７、７を支柱２の背面側に密着させることができてガタツキの発生が阻止される。
【００７０】
更には、各アーム６、６の附勢力によって可動片８が各アーム６、６に保持されていることから、支柱２や棚受けブラケット３に衝撃が加わったとしても、可動片８が動かず、ジョイント１の連結状態が解除されることがない。
【００７１】
次に、上記ジョイント１のロック及び連結状態の解除は、駆動ピン１２を反時計回りに回転することによって、上記連結の際の動作と逆の動作をとり、容易に行うことができる。
【００７２】
まず、六角溝１２ａに六角レンチなどを差し込み、駆動ピン１２を図中反時計回りにやや回転する。
【００７３】
すると、第一のカム９の最長となる径が駆動ピン１２の上方から前方に向けて回転すると共に、第二のカム１０の最長となる径が駆動ピン１２の前方から下方に向けて回転する。これにより、ジョイント本体５は第一のカム９の回転に従動して前進する。しかしながら、可動片８は各アーム６、６に挟持されているため第二のカム１０に従動せず、各アーム６、６に挟持されたまま前進し支柱２の正面に当接する。
【００７４】
更に駆動ピン１２を反時計回りに回転し、駆動角度を９０度まで戻す。すると、第一のカム９の最長となる径が駆動ピン１２の前方に配在されると共に、第二のカム１０の最長となる径が駆動ピン１２の下方に配在される。これにより、第一のカム９に従動してジョイント本体５は前進するが、可動片８は支柱１の正面に当接された状態にあり前進できないため、各アーム６、６に追従できず本体８ｂが各アーム６、６の水平面１１ｂから抜け、可動片８のテーパ部８ａと係止部１１の傾斜面１１ａとが対向する。よって、各アーム６、６の附勢力により各アーム６、６の先端部が接近して可動片８を後方に押圧すると共に、可動片８を第二のカム１０の外周に当接させ、各アーム６、６の先端部が接近した状態で支柱２の背面側に突出し、支柱２の背面側に引っ掛かっていた爪７、７が外れる。
【００７５】
更に駆動ピン１２を反時計回りに９０度回転させて、駆動角度を０度まで戻すと、第一のカム９の最長となる径が駆動ピン１２の下方に配在され、第二のカム１０の最長となる径が駆動ピン１２の後方に配在されることから、ジョイント本体５及び可動片８が共に後退し、各アーム６、６の先端部が接近した状態で係止孔４から抜け、ジョイント１の連結状態が解除される。
【００７６】
上記構成を備えることにより、特別な部材を使用することなく各アーム６、６の動きを容易にロックし、ジョイント１の連結状態を維持することが可能となる。
【００７７】
次に、本発明の第三の実施の形態について説明する。当該第三の実施の形態においては、第一、第二のカム９、１０の重なり方及び、ジョイント１の動作が異なるのみで、その他の構成及び効果については第一の実施の形態と重複するため説明を省略する。
【００７８】
まず、第一、第二のカム９、１０の重なり方について説明をする。第一、第二のカム９、１０は、それぞれの最長となる径が駆動ピン１２で８０度の角度をもって交差するよう設定されている。但し、上記角度は任意に設定することが可能であり、８０度としたのは説明上具体的な角度を例示することが好ましいためである。
【００７９】
次に、本実施の形態におけるジョイント１の動作を詳細に説明する。
【００８０】
まず、支柱２と棚受けブラケット３とを連結する際には、支柱２に棚受けブラケット３のジョイント１を有する端部を対向させ、支柱２の係止孔４とジョイント１の爪７、７とを対向させる。
【００８１】
このとき、円形の第一のカム９の最長となる径が駆動ピン１２の下方に配在され、略半円状に形成された第二のカム１０は、その円弧面を下側にして、その最長となる径が駆動ビン１２の後方斜め下方側に配在されてなる。このとき、各アーム６、６は棚受けブラケット３に収装されると共に、その先端部は接近しており、その内側にそれぞれ設けた係止部１１の傾斜面１１ａに可動片８のテーパ部８ａを当接させている。この状態から駆動ピン１２を時計回りに回転させた角度を駆動角度とし、この状態を駆動角度０度とする。
【００８２】
次に、六角溝１２ａに六角レンチなどを差し込み、駆動ピン１２を図中時計回りに９０度まで回転させて、駆動角度を９０度とする。これにより、第一のカム９の最長となる径が駆動ピン１２の前方に配在され、ジョイント本体５が前進すると共に、第二のカム１０の最長となる径が駆動ピン１２の下方斜め前方側に配在され、可動片８もまた前進する。このとき、ジョイント本体５と可動片８とが共に前進するため、各アーム６、６の先端部は接近した状態を保ちながら、支柱２に設けた係止孔４に挿通され、支柱２の背面側に各アーム６、６の爪７、７が突出する。つまり、爪７、７が支柱２の背面側に配在された状態となる。
【００８３】
更に駆動ピン１２を時計回りに８０度回転し、駆動角度を１７０度とする。すると、第一のカム９の最長となる径が駆動ピン１２の上方斜め前方側に配在され、ジョイント本体５が後退すると共に、第二のカム１０の最長となる径が駆動ピン１２の前方に配在され、可動片８が前進する。これにより、可動片８が各アーム６、６の先端側に向けて前進し、各アーム６、６の先端部が離間されて附勢力を発生する。
【００８４】
更に駆動ピン１２を時計回りに１０度回転し、駆動角度を１８０度とする。すると、第一のカム９の最長となる径が駆動ピン１２の上方に配在され、ジョイント本体５が更に後退すると共に、第二のカム１０の最長となる径が駆動ピン１２の前方斜め上方側に配在され、可動片８は各アーム６、６の先端部を離間した状態を保ちながら後退し、第二のカム１０と可動片８とが当接する作用点が可動片８の後端部中央から上方へ移動する。
【００８５】
つまり、図５に示すように、爪７、７が支柱２の背面側に配在された状態でジョイント本体５が後退し、各アーム６、６の先端が可動片８によって離間されることから、爪７、７が支柱２の背面側に引っ掛かり、
駆動ピン１２をそれ以上時計回りに回転することができなくなると共に、爪７、７を支柱２の背面側に密着させることができてガタツキの発生が阻止される。
【００８６】
この状態においては、各アーム６、６の先端が可動片８によって離間して附勢力を発生し、上記可動片８は常にテーパ部８ａを係止部１１の傾斜面１１ａへ当接させて、上記附勢力によって後退する方向に押圧される。このとき、第二のカム１０と可動片８とが当接する作用点が駆動ピン１２よりも上方に位置していることから、上記附勢力によって第二のカム１０は可動片８を介して時計回りに回転する方向に押圧される。
【００８７】
しかしながら、爪７、７が支柱２の背面側に引っ掛かっており、第二のカム１０は、それ以上の時計回りの回転が阻止されると共に、上記附勢力により反時計回りの回転も阻止されるため、ジョイント１がロックされた状態となる。
【００８８】
つまり、上記附勢力により、支柱２や棚受けブラケット３に衝撃が加わったとしても、可動片８が動かず、ジョイント１の連結状態が解除されることがない。
【００８９】
次に、ジョイント１のロック及び連結状態を解除は、駆動ピン１２を反時計回りに回転することによって、上記連結の際の動作と逆の動作をとり、容易に行うことができる。
【００９０】
つまり、まず六角溝１２ａに六角レンチなどを差し込み、駆動ピン１２を図中反時計回りに１０度回転させ、駆動角度を１７０度まで戻す。すると、第一のカム９の最長となる径が駆動ピン１２の上方斜め前方側に配在され、ジョイント本体５が前進すると共に、第二のカム１０の最長となる径が駆動ピン１２の前方に配在され、可動片８もまた前進する。これにより、第二のカム１０と可動片８とが当接する作用点が可動片８の後端部上方から中央へ移動する。
【００９１】
更に、駆動ピン１２を反時計回りに８０度回転させ、駆動角度を９０度まで戻す。すると、第一のカム９の最長となる径が駆動ピン１２の前方に配在され、ジョイント本体５が前進すると共に、第二のカム１０の最長となる径が駆動ピン１２の下方斜め前方側に配在され、各アーム６、６の先端部が各アーム６、６の附勢力によって接近すると共に傾斜面１１ａで可動片８を後方に押圧し、可動片８が各アーム６、６の係止部１１と第二のカム１０とで挟持されながら各アーム６、６間を後退する。これにより、各アーム６、６の先端部が接近した状態で支柱２の背面側に突出し、支柱２の背面側に引っ掛かっていた爪７、７が外れる。
【００９２】
更に駆動ピン１２を反時計回りに９０度回転させて、駆動角度を０度まで戻すと、第一のカム９の最長となる径が駆動ピン１２の下方に配在され、第二のカム１０の最長となる径が駆動ピン１２の後方斜め下方側に配在されることから、ジョイント本体５及び可動片５が共に後退し、各アーム６、６の先端部が接近した状態で係止孔４から抜け、ジョイント１の連結状態が解除される。
【００９３】
上記構成を備えることにより、特別な部材を使用することなく各アーム６、６の動きを容易にロックし、ジョイント１の連結状態を維持することが可能となる。
【００９４】
以上、本発明の好ましい実施の形態を詳細に説明したが、特許請求の範囲から逸脱することなく改造、変形及び変更を行うことができることは理解すべきである。
【００９５】
上記実施の形態において、商品陳列棚を構成する支柱１と棚受けブラケット３とをジョイント１を介して連結するとしたが、連結する部材を適宜選択することができることは勿論である。
【００９６】
例えば、本発明に係わるジョイント１においては、一方部材と他方部材とを確実に連結することができるため、展示ブースを構成するための支柱と梁との連結にも適している。
【００９７】
また、上記実施の形態においては、第一、第二のカム９、１０を設けるとしたが、これ以外の方法によってジョイント本体５や可動片８を移動するとしても良く、ジョイント本体５は他方部材に固定されるとしても良い。
【００９８】
例えば、ジョイント本体５を他方部材に固定し、楕円状に形成した可動片をアーム６、６間で回転させることにより、各アーム６、６の先端部を離間させて、一方部材の背面側に各アーム６、６の爪７、７を係止するとしても良い。
【符号の説明】
【００９９】
１  ジョイント
２  支柱
３  棚受けブラケット
４  係止孔
５  ジョイント本体
６  アーム
７  爪
８  可動片
９  第一のカム
１０  第二のカム
１１  係止部
１２  駆動ピン
１３  前部
１４  後部
１５  従来のジョイント
１６  係止孔
１７  棚板
【図１】
2010196864.tif 000003
【図２】
2010196864.tif 000004
【図３】
2010196864.tif 000005
【図４】
2010196864.tif 000006
【図５】
2010196864.tif 000007
【図６】
2010196864.tif 000008